(57)【要約】【課題】繰り返して記録可能な記録装置に対してより速く記録可能なスピードを提供する記録装置を提供する。【解決手段】一回記録媒体における複数の記録速度のある記録速度にて繰り返して記録可能な記録媒体に対して記録作業を行う操作を実行する構成であり、前記繰り返して記録可能な媒体の記録層は、Ｇｅ、Ｉｎ、Ｓｂ、ＴｅとＳｎの何れかの四つの元素が含まれており、前記Ｓｂ/Ｔｅの成分比例は３〜８であり、前記記録層の厚さは３ｎｍ〜２５ｎｍであるファームウェアを備えることを特徴とする。【選択図】図２
2013127835.tif 000002
【特許請求の範囲】
【請求項１】
繰り返して記録可能な記録媒体に対して、一回記録媒体における複数の記録速度のうちある記録速度にて、記録作業を行う操作を実行するファームウェアを備える構成であり、前記繰り返して記録可能な媒体の記録層は、Ｇｅ、Ｉｎ、Ｓｂ、ＴｅとＳｎの何れかの四つの元素が含まれており、前記Sb/Teの成分比例は３〜８であり、前記記録層の厚さは３ｎｍ〜２５ｎｍであることを特徴とする記録装置。
【請求項２】
前記ある記録速度は、最高速の速度であることを特徴とする請求項１に記載の記録装置。
【請求項３】
前記記録層の厚さは、１２ｎｍであることを特徴とする請求項１に記載の記録装置。
【請求項４】
繰り返して記録可能な記録媒体に対して、一回記録媒体における複数の記録速度のうちある記録速度にて、記録作業を行い、前記繰り返して記録可能な媒体の記録層は、Ｇｅ、Ｉｎ、Ｓｂ、ＴｅとＳｎの何れかの四つの元素が含まれており、前記Sb/Teの成分比例は３〜８であり、前記記録層の厚さは３ｎｍ〜２５ｎｍであることを特徴とする記録方法。
【請求項５】
前記ある記録速度は、最高速の速度であることを特徴とする請求項４に記載の記録方法。
【請求項６】
前記記録層の厚さは、１２ｎｍであることを特徴とする請求項４に記載の記録方法。
【発明の詳細な説明】
【技術分野】
【０００１】
本発明は、記録装置に関し、特に繰り返して記録可能な記録装置に対してより速く記録可能なスピードを提供する記録装置に関するものである。
【背景技術】
【０００２】
従来の繰り返して記録可能な記録装置は、例えば、CD-RW(CD-RW book PARTIII Ultra-Speed Version 1.0, 24x speed)、DVD+RW(DVD+RW book PART1 Version 1.0, 8x speed)、DVD-RW(DVD-RW book PART1 Version 1.2, 6x speed)及びBD-RE(BD-RE book PART1 Version 2.12, 2x speed)である。これらの繰り返して記録可能な記録装置は、より低速の繰り返して記録可能な機能を有している。従って、時間を縮減して高速の記録を行う場合、他の一回記録装置を使用する必要がある。例えば、DVD-R 16x(DVD-R book PART1 Version 2.1, 16x speed)にて高速の記録作業を行う（表1に示す）。
【０００３】
【表１】
2013127835.tif 000003
【０００４】
図１に示すように、これは従来の繰り返して記録可能な記録媒体によって記録を行うフローチャートであり、記録装置は、ステップＳ１０１でディスクにおけるディスク情報を読み取って記録方式が決定される。次に、ステップＳ１０２でディスク情報に記載される記録速度によって記録作業を行う。ステップＳ１０３で記録作業を完了する。その後、その繰り返して記録可能な媒体が使用されて記録作業を再び行うとき、ステップＳ１０４でディスク情報に記載される記録速度によって再び記録作業を行う。そして、ステップＳ１０５で記録作業を完了する。前記ステップＳ１０４とステップＳ１０５は必要に応じて繰り返して行うことができる。
【発明の概要】
【発明が解決しようとする課題】
【０００５】
しかしながら、既に繰り返して記録可能な媒体を有する場合、時間を縮減するために一回記録媒体の代わりにこの繰り返して記録可能な媒体によって高速の記録作業を行うことが可能であれば、一回記録媒体の購入コストを節約することができる。一方、この繰り返して記録可能な媒体の汎用性も向上する。本発明は、上記の希望に応じるものである。
【０００６】
本発明の目的は、記録装置とその記録方法を提供するものであり、一回記録媒体における複数の記録速度のある記録速度にて繰り返して記録可能な記録媒体に対して記録作業を行うことができる。従って、一回記録媒体の代わりに繰り返して記録可能な媒体を使用することにより、一回記録媒体の購入コストを節約することができ、繰り返して記録可能な媒体の汎用性を向上させることができる。
【課題を解決するための手段】
【０００７】
前記の発明の目的を達成するために、本発明は、繰り返して記録（反復記録）可能な記録媒体に対して、一回記録媒体における複数の記録速度のある記録速度にて記録作業を行う操作を実行するファームウェアを備える構成であり、前記繰り返して記録可能な媒体の記録層は、Ｇｅ、Ｉｎ、Ｓｂ、ＴｅとＳｎの何れかの四つの元素が含まれており、前記Ｓｂ/Ｔｅの成分比例は３〜８であり、前記記録層の厚さは３ｎｍ〜２５ｎｍであることを特徴とする記録装置を提供する。
【０００８】
前記の発明の目的を達成するために、本発明は、一回記録媒体における複数の記録速度のある記録速度にて繰り返して記録可能な記録媒体に対して記録作業を行い、前記繰り返して記録可能な媒体の記録層は、Ｇｅ、Ｉｎ、Ｓｂ、ＴｅとＳｎの何れかの四つの元素が含まれており、前記Ｓｂ/Ｔｅの成分比例は３〜８であり、前記記録層の厚さは３ｎｍ〜２５ｎｍであることを特徴とする記録方法を提供する。
【発明の効果】
【０００９】
本発明の記録装置と記録方法によれば、一回記録媒体の代わりに繰り返して記録可能な媒体を使用できるだけではなく、一回記録媒体の購入コストを節約すると共に、繰り返して記録可能な媒体の汎用性を向上させることができる。
【図面の簡単な説明】
【００１０】
【図１】従来の繰り返して記録可能な記録媒体によって記録を行うフローチャートである。
【図２】本発明に係る記録装置によって繰り返して記録可能な記録媒体に対して記録作業行うフローチャートである。
【図３】本発明に係わる記録装置の実施例によって高速の一回記録方式で低速のＢＤ-ＲＥ２ｘのディスクに対して記録作業を行う電気特性を示す図である。
【図４】本発明に係わる記録装置の実施例によって高速の一回記録方式で低速のＢＤ-ＲＥ２ｘのディスクに対して記録作業を行った後、低速で再び記録作業を行う電気特性を示す図である。
【発明を実施するための形態】
【００１１】
以下、本発明の目的や手段をより理解するために、添付図面を参照して本発明の好適な実施の形態を詳細に説明する。
【実施例】
【００１２】
本発明に係る記録装置は、一回記録媒体における複数の記録速度のある記録速度にて繰り返して記録可能な記録媒体に対して記録作業を行う操作を実行する構成であるファームウェアを備えることを特徴とする。本発明に係る記録方法は、一回記録媒体における複数の記録速度のある記録速度にて繰り返して記録可能な記録媒体に対して記録作業を行うことを特徴とする。
例えば、繰り返して記録可能な記録媒体（例えばDVD-RW）の記録速度は、1x、2x、4x及び6xを有しており、最も速い速度は6xであり、一回記録媒体（例えばDVD-R）のの記録速度は、1x、2x、4x、6x、8x、10x、12x、14x及び16xを有しており、最も速い速度は16xである。記録時間を縮減する場合、本発明の記録装置は、使用者の需要に応じて1x、2x、4x、6x、8x、10x、12x、14x又は16xの記録速度でDVD-RWの記録媒体に対して記録作業を行うことができる。
【００１３】
図２は、本発明に係る記録装置によって繰り返して記録可能な記録媒体に対して記録作業行うフローチャートである。初めて繰り返して記録可能な記録媒体を使用する（即ち、記録作業を行っていなかった）時、一回記録媒体における複数の記録速度のある記録速度にて繰り返して記録可能な記録媒体に対して記録作業を行うことができる。
図２に示すように、ステップＳ２０１で記録装置はディスクにおけるディスク情報を読み取って記録方式が決定される。ステップＳ２０２では、一回記録媒体における複数の記録速度のある記録速度にて繰り返して記録可能な記録媒体に対して記録作業を行う。ステップＳ２０３では、記録作業を完了する。その後、この繰り返して記録可能な記録媒体に対して再び記録作業を行う場合、ステップＳ２０４でディスク情報による繰り返して記録可能な速度にて再び記録作業を行う。ステップＳ２０５では、記録作業を再び完了する。また、前記ステップＳ２０４とステップＳ２０５は、必要に応じて繰り返して実行することができる。
【００１４】
前述のように、本発明に係わる記録装置は、最初に繰り返して記録可能な記録媒体を使用する（即ち、記録作業を行っていなかった）時、一回記録媒体における複数の記録速度のある記録速度にて繰り返して記録可能な記録媒体に対して記録作業を行うことができる。従って、より速い記録速度で記録作業を行うことができる。
【００１５】
本発明のある実施例によれば、前記繰り返して記録可能な記録媒体の記録層は、Ｇｅ、Ｉｎ、Ｓｂ、ＴｅとＳｎの何れかの四つの元素が含まれており、前記Ｓｂ/Ｔｅの成分比例は３〜８であり、前記記録層の厚さは３ｎｍ〜２５ｎｍであり、１２ｎｍであると望ましい。
【００１６】
本発明のある実施例によって高速度（6x又は8x）の一回記録方式で低速度のBD-RE 2xのディスク（サンプル１とサンプル２）に対して記録作業を行う電気特性は、規格要求の品質を満足できる（図３に示す）。そのジッタ値（Jitter）は、９.０より低いことが分かった。サンプル１のディスクの成分比例について、Ｇｅ：Ｉｎ：Ｓｂ：Ｔｅは、4.2：3.0：73.0：19.8であり、サンプル２のディスクの成分比例について、Ｇｅ：Ｉｎ：Ｓｂ：Ｔｅは、4.3：9.2：51.7：11.0：23.8である。
【００１７】
更に、前述のように、本発明のある実施例によって高速度の一回記録方式で低速度のBD-RE 2xのディスク（サンプル１とサンプル２）に対して記録作業を行った後、再び低速度の記録速度（2x）で記録作業を行う電気特性は、規格要求の品質を満足できる（図４に示す）。そのジッタ値（Jitter）は、９.０より低いことが分かった。サンプル１とサンプル２の成分比例は、前述と同様である。
【産業上の利用可能性】
【００１８】
本発明は、前記の構成を有するので、一回記録媒体の代わりに繰り返して記録可能な媒体を使用することにより、一回記録媒体の購入コストを節約すると共に、繰り返して記録可能な媒体の汎用性を向上させることができる。
【符号の説明】
【００１９】
Ｓ１０１〜Ｓ１０５  ステップ
Ｓ２０１〜Ｓ２０５  ステップ
【図１】
2013127835.tif 000004
【図２】
2013127835.tif 000005
【図３】
2013127835.tif 000006
【図４】
2013127835.tif 000007